(57)【特許請求の範囲】
【請求項１】
ユーザから要求された出力指示に対して、インターネット上のウェブページを出力ウェブデータとして提供するウェブデータ出力管理装置において、
ユーザから出力指示されたウェブページのアドレス、を含むウェブデータ出力指示情報を受信する受信部と、
該受信部で受信した該ウェブデータ出力指示情報に基づいて、ユーザから出力指示されたウェブページのウェブデータを取得するウェブデータ取得部と、
前記ウェブデータ取得部により取得されたユーザから出力指示されたウェブページの中に、連続性を有するウェブページであることを暗示する特定の単語又はキーワードに基づいて、ユーザから出力指示されたウェブページのリンク先のウェブページであって、連続性を有するウェブデータを抽出する抽出部と、
前記抽出部により抽出された連続性を有するウェブデータと前記ユーザから出力指示されたウェブデータとを合成して出力ウェブデータを作成する出力ウェブデータ作成部と、
を有することを特徴とするウェブデータ出力管理装置。
【請求項２】
前記特定の単語は、ＮＥＸＴ、続き、及び、次へ、のいずれか１つを有することを特徴とする請求項１に記載のウェブデータ出力管理装置。
【請求項３】
前記ユーザから出力指示されたウェブページのウェブデータの中の特定のキーワードに基づいて、リンク先のウェブページの類似性を調査し、前記ウェブデータを抽出することを特徴とする請求項１に記載のウェブデータ出力管理装置。
【請求項４】
印刷物の出力形態を設定する設定部と、
前記出力形態に基づいて、前記出力ウェブデータ作成部により作成された出力ウェブデータを出力する出力部と、を有することを特徴とする請求項１に記載のウェブデータ出力管理装置。
【請求項５】
前記出力形態は、フォント種類、フォントサイズ、下地色及び、文字画像の色、のいずれか１つを有することを特徴とする請求項４に記載のウェブデータ出力管理装置。
【請求項６】
ユーザから要求された出力指示に対して、インターネット上のウェブページを出力ウェブデータとして提供するウェブデータ出力管理装置を用いた印刷サービスシステムにおいて、
前記ウェブデータ出力管理装置は、
ユーザから出力指示されたウェブページのアドレス、を含むウェブデータ出力指示情報を受信する受信部と、
該受信部で受信した該ウェブデータ出力指示情報に基づいて、ユーザから出力指示されたウェブページのウェブデータを取得するウェブデータ取得部と、
前記ウェブデータ取得部により取得されたユーザから出力指示されたウェブページの中に、連続性を有するウェブページであることを暗示する特定の単語又はキーワードに基づいて、ユーザから出力指示されたウェブページのリンク先のウェブページであって、連続性を有するウェブデータを抽出する抽出部と、
前記抽出部により抽出された連続性を有するウェブデータと前記ユーザから出力指示されたウェブデータとを合成して出力ウェブデータを作成する出力ウェブデータ作成部とを有する
ことを特徴とする印刷サービスシステム。
【請求項７】
ユーザから要求された出力指示に対して、インターネット上のウェブページを出力ウェブデータとして提供するウェブデータ出力管理処理を行なう印刷サービス方法において、
前記ウェブデータ出力管理処理は、
ユーザから出力指示されたウェブページのアドレス、を含むウェブデータ出力指示情報を受信する受信工程と、
該受信工程で受信した該ウェブデータ出力指示情報に基づいて、ユーザから出力指示されたウェブページのウェブデータを取得するウェブデータ取得工程と、
前記ウェブデータ取得工程により取得されたユーザから出力指示されたウェブページの中に、連続性を有するウェブページであることを暗示する特定の単語又はキーワードに基づいて、ユーザから出力指示されたウェブページのリンク先のウェブページであって、連続性を有するウェブデータを抽出する抽出工程と、
前記抽出工程により抽出された連続性を有するウェブデータと前記ユーザから出力指示されたウェブデータとを合成して出力ウェブデータを作成する出力ウェブデータ作成工程とを含む
ことを特徴とする印刷サービス方法。
【発明の詳細な説明】
【０００１】
【発明の属する技術分野】
本発明は、例えばインターネットに通信可能に接続された情報通信端末からウェブデータ（これはインターネット上のウェブページを構成する）の情報を、外部へ委託して印刷物として得るシステムに用いて好適な、印刷サービスシステムに関する。
【０００２】
【従来の技術】
インターネットはネットワークを介して相互に通信可能に接続された多数のコンピュータをそなえて構成されている。このインターネット上においては、電子メールのやり取りのほか、WWW(world wide ウェブ    )と呼ばれる情報発信用のシステムによるウェブページ（ホームページ：以下ウェブページという）の公開や、ニュースグループ（News Group）による情報交換、ＦＴＰ(File Transfer Protocol：ファイル転送プロトコル)に  よるファイルの配信などが行われ、情報伝達やコミニュケーション等の種々  の目的で利用されている。
【０００３】
近年においては、インターネットは電子商取引にも用いられるようになっている。そして、インターネットにおいては、音楽データ等の電気的に配信可能な商品のみならず、書籍等の物流手段による配達を必要とする商品も取り扱われている。例えば、ユーザは、インターネット上でウェブページとして作成された商品のカタログ等を閲覧して、希望する商品を購買することができるのである。
【０００４】
さて、ＷＷＷにおいては、ウェブページを構成する情報（以下、ウェブデータという）はウェブサーバによって管理されており、利用者がブラウザ等を介して所定のウェブページの閲覧要求を行なうと、ウェブサーバがその要求に応じてそのウェブページに該当するウェブデータを提供する。
【０００５】
そして、ユーザは、その提供されたウェブデータを、ネットスケープナビゲータ（商品名）やインタネットエクスプローラ（商品名）等のウェブページ閲覧用ソフトウェア（ブラウザ）を用いてコンピュータのディスプレイで見たり、又、ブラウザの有するプリンタ出力機能を用いて、そのウェブデータを紙等に印刷して利用する。
【０００６】
なお、ユーザが所望するウェブデータが、ＰＤＦ（Portable Document Fo    rmat）と呼ばれる電子文書形式で形成されたファイルである場合には、そのＰＤＦファイルをインターネット上のデータサーバから使用するコンピュータにダウンロードした後に、アクロバットリーダ（Adobe Acrobat Reader（商品名））等の専用のアプリケーションを用いて表示や印刷することによりディスプレイに表示された画面とほぼ同一の出力結果を得ることができる。
【０００７】
【発明が解決しようとする課題】
しかしながら、このような従来のウェブデータ出力手法においては、ユーザにとってウェブデータは扱い易いものではないという課題がある。
【０００８】
例えば、一般に、ウェブデータはハイパーリンクによる他のウェブデータへのリンクを有しているものが多く、又、このリンクにより複雑な階層構造が形成されているウェブデータも多い。
【０００９】
そして、特定のウェブデータの印刷を行なう際に、そのリンク先のウェブデータを印刷しない場合には、ユーザは本当に必要な情報を取得することができない。一方、その全てのリンク先のウェブデータを印刷する場合には、ユーザにとって不要な情報まで印刷されてしまい、時間的にも経済的にも無駄である。
【００１０】
従って、ウェブデータの印刷を行なう際に、ユーザにとって真に必要なウェブデータのみを印刷する手法が求められている。
【００１１】
また、ウェブデータをブラウザのプリンタ出力機能を用いて紙に印刷する場合においても、その印刷を行なうウェブデータのデザイン構成によってその印刷物の印刷結果が左右されるという課題がある。
【００１２】
例えば、色付きの背景に白抜き文字で情報が示されているウェブデータを印刷する場合には、インクの消費量がさらに増加する。又、背景が白であっても、文字色が黄色のような薄い色で構成されたウェブデータは視認性が悪く、その印刷物もユーザにとって利便性が悪い。
【００１３】
さらに、ディスプレイに表示されたウェブデータ（ウェブページ）を直接読む場合には、紙等の媒体にウェブデータを印刷させてから読む場合に比べて、その情報の理解度が低下するという課題がある。
【００１４】
特に、そのウェブデータの内容が論理的（例えば学術論文等）なものであるほど、又、その情報量が多いほど、ユーザのその情報についての理解度が低下することが知られている。これは、各人の情報を読むときのスタイルがディスプレイに支配されるからであり、又、この他、ディスプレイへの照明等の反射や映り込み等による影響もその要因のひとつとして挙げられる。
【００１５】
また、ユーザが所望するウェブデータがＰＤＦファイルの場合には、そのＰＤＦファイルをインターネット上のデータサーバからダウンロードする必要があるが、ダウンロードのために通信コスト等が生じ、印刷結果を得るまでに高いコストがかかるという課題もある。又、ＰＤＦファイルの印刷には多くの時間を要するという課題もある。
【００１６】
近年では、決められたコンテンツの印刷配送サービスが一部開始されている。
【００１７】
しかし、内容の異なるコンテンツに関しては、別々に製本されたりしており、その手法もユーザが保存という立場から考えると、陳腐である。
【００１８】
また、ユーザが自由にさまざまなウェブページを閲覧して、その中から印刷物として必要なウェブページが多種にわたってある場合においては、そのウェブページに関連性が無い場合は、その都度印刷の指定を行う必要があった。そのため、印刷要求するための操作が煩わしかった。
【００１９】
また、ユーザとしては、１つにまとめて管理する目的で同じ時期に要求したウェブデータであっても、印刷物として別々に出力されて、手元に届くことになる。つまり、出力形態として、複数のウェブページを指定して、その出力結果を１つの印刷物としてまとめる、といった設定をすることができないので、ユーザの希望にあった出力形態で出力できず、印刷物を保存や管理することができなかった。そのため、ユーザは、出力された印刷物の保存や管理のために、印刷物が手元に届いてから、個々の希望する形態に合わせて、まとめたり綴じたり、という加工をユーザ本人が行う必要があり、面倒であったのである。
【００２０】
本発明は、このような課題に鑑み創案されたもので、ユーザがインターネット上のウェブページを構成するウェブデータを出力装置から出力する際に、不要なウェブデータを出力することなく、又、ユーザがその出力イメージを予め確認することができ、ユーザが利用しやすい形態でウェブデータの出力を得ることができる、ウェブデータの出力サービスシステムを提供することを目的とする。
【００２１】
さらに、取得したい情報のドメインが同一でなくても、内容の異なるコンテンツであっても、１つの冊子、または、本として製本することが可能な印刷サービスシステムを提供することを目的とする。
【００２２】
【課題を解決するための手段】
本発明に係るウェブデータ出力管理装置は、ユーザから要求された出力指示に対して、インターネット上のウェブページを出力ウェブデータとして提供するウェブデータ出力管理装置であって、ユーザから出力指示されたウェブページのアドレス、を含むウェブデータ出力指示情報を受信する受信部と、該受信部で受信した該ウェブデータ出力指示情報に基づいて、ユーザから出力指示されたウェブページのウェブデータを取得するウェブデータ取得部と、前記ウェブデータ取得部により取得されたユーザから出力指示されたウェブページの中に、連続性を有するウェブページであることを暗示する特定の単語又はキーワードに基づいて、ユーザから出力指示されたウェブページのリンク先のウェブページであって、連続性を有するウェブデータを抽出する抽出部と、前記抽出部により抽出された連続性を有するウェブデータと前記ユーザから出力指示されたウェブデータとを合成して出力ウェブデータを作成する出力ウェブデータ作成部と、を有するものである。
【００２３】
本発明に係る印刷サービスシステムは、ユーザから要求された出力指示に対して、インターネット上のウェブページを出力ウェブデータとして提供するウェブデータ出力管理装置を用いた印刷サービスシステムであって、前記ウェブデータ出力管理装置は、ユーザから出力指示されたウェブページのアドレス、を含むウェブデータ出力指示情報を受信する受信部と、該受信部で受信した該ウェブデータ出力指示情報に基づいて、ユーザから出力指示されたウェブページのウェブデータを取得するウェブデータ取得部と、前記ウェブデータ取得部により取得されたユーザから出力指示されたウェブページの中に、連続性を有するウェブページであることを暗示する特定の単語又はキーワードに基づいて、ユーザから出力指示されたウェブページのリンク先のウェブページであって、連続性を有するウェブデータを抽出する抽出部と、前記抽出部により抽出された連続性を有するウェブデータと前記ユーザから出力指示されたウェブデータとを合成して出力ウェブデータを作成する出力ウェブデータ作成部とを有するものである。
【００２４】
本発明に係る印刷サービス方法は、ユーザから要求された出力指示に対して、インターネット上のウェブページを出力ウェブデータとして提供するウェブデータ出力管理処理を行なう印刷サービス方法であって、前記ウェブデータ出力管理処理は、ユーザから出力指示されたウェブページのアドレス、を含むウェブデータ出力指示情報を受信する受信工程と、該受信工程で受信した該ウェブデータ出力指示情報に基づいて、ユーザから出力指示されたウェブページのウェブデータを取得するウェブデータ取得工程と、前記ウェブデータ取得工程により取得されたユーザから出力指示されたウェブページの中に、連続性を有するウェブページであることを暗示する特定の単語又はキーワードに基づいて、ユーザから出力指示されたウェブページのリンク先のウェブページであって、連続性を有するウェブデータを抽出する抽出工程と、前記抽出工程により抽出された連続性を有するウェブデータと前記ユーザから出力指示されたウェブデータとを合成して出力ウェブデータを作成する出力ウェブデータ作成工程とを含むものである。
【００２５】
【発明の実施の形態】
以下、図面を参照して本発明の実施の形態を説明する。
【００２６】
図１は本発明の一実施形態としてのウェブデータ出力管理装置の機能的な構成を示すブロック図、図２は本発明の一実施形態としてのウェブデータ出力管理装置が配置されるインターネットの構成例を模式的に示す図である。
【００２７】
インターネット１００は、ＬＡＮ（Local Area Network）、ＷＡＮ（Wide     Area Network）、ＭＡＮ（Metropolitan Area Network）等の通信ネット  ワークを相互に通信可能に接続して構成されている。例えば、図２に示すイ  ンターネット１００は、ネットワーク１００ａ、１００ｂをそなえるととも  に、閲覧クライアントシステム１０２ａ、１０２ｂ、印刷管理サーバシステ  ム１０１、情報提供サーバシステム１０３ａ〜１０３ｃおよび印刷実行サー  バシステム１０４ａ〜１０４ｃがそれぞれ通信可能に接続されている。
【００２８】
なお、以下、閲覧クライアントシステムを示す符号としては、複数の閲覧クイアントシステムのうち１つを特定する必要があるときには符号１０２ａ、１０２ｂを用いるが、任意の閲覧クライアントシステムを指すときには符号１０２を用いる。
【００２９】
同様に、情報提供サーバシステムを示す符号としては、複数の情報提供サーバシステムのうち１つを特定する必要があるときには符号１０３ａ〜１０３ｃを用いるが、任意の情報提供サーバシステムを指すときには符号１０３を用いる。更に、印刷実行サーバシステムを示す符号としては、複数の印刷実行サーバシステムのうち１つを特定する必要があるときには符号１０４ａ〜１０４ｃを用いるが、任意の印刷実行サーバシステムを指すときには符号１０４を用いる。
【００３０】
図３は本発明の一実施形態としてのウェブデータ出力管理装置（印刷管理サーバシステム１０１、印刷実行サーバシステム１０４）をそなえたウェブデータ出力システム（以下、単にシステムという場合もある）の構成を示すブロック図であり、本システムは、閲覧クライアントシステム１０２、印刷管理サーバシステム１０１、情報提供サーバシステム１０３および印刷実行サーバシステム１０４をそなえて構成されている。
【００３１】
印刷実行サーバシステム１０４は、サーバコンピュータ２３とプリンタ１５ａ、１５ｂをそなえて構成されており、後述する印刷管理サーバシステム１０１からの指示に従って、印刷管理サーバシステム１０１から送信された印刷データを、プリンタ（出力装置、印刷装置）１５ａ、１５ｂを用いて印刷するものである。
【００３２】
これらのプリンタ１５ａ、１５ｂは、印刷実行サーバシステム１０４からの印刷指示に従って印刷を実行することにより、ユーザが希望する種々の形態で印刷を行なうことができる印刷装置である。これらのプリンタ１５ａ、１５ｂとしては、例えばインクジェットプリンタや電子写真方式の画像形成装置等が用いられる。
【００３３】
なお、以下、プリンタを示す符号としては、複数のプリンタのうち１つを特定する必要があるときには符号１５ａ、１５ｂを用いるが、任意のプリンタを指すときには符号１５を用いる。
【００３４】
そして、この印刷実行サーバシステム１０４は、例えば、後述する印刷管理サーバシステム１０１を提供する業者と業務契約を結んでいる印刷業者等によって運営されるものである。
【００３５】
情報提供サーバシステム１０３は、インターネット１００上においてウェブページにより種々の情報を提供するものであって、サーバコンピュータ２２をそなえて構成されている。又、このサーバコンピュータ２２のハードディスク１３中においてはウェブページを構成するウェブデータが格納されている。
【００３６】
そして、情報提供サーバシステム１０３は、閲覧クライアントシステム１０２や印刷管理サーバシステム１０１からの要求に応じて、そのウェブデータを閲覧クライアントシステム１０２や印刷管理サーバシステム１０１に送信するようになっている。
【００３７】
閲覧クライアントシステム１０２は、ネットスケープ・ナビゲータやインターネットエクスプローラ等のＷＷＷブラウザ（ウェブページ閲覧用アプリケーション）をそなえた情報端末１１（コンピュータ等）により構成されている。
【００３８】
そして、ユーザは、この情報端末１１において、情報提供サーバ１０３が提供するウェブページをＷＷＷブラウザを用いることによりディスプレイ１１ａ上で閲覧することができるようになっている。
【００３９】
印刷管理サーバシステム（ウェブデータ出力管理装置）１０１は、サーバコンピュータ２１をそなえて構成されており、又、このサーバコンピュータ２１のハードディスク１４中に顧客管理データベース（図示省略）をそなえている。
【００４０】
この顧客管理データベースは、本システムを利用可能なユーザに関する情報（顧客情報）を保管するものであり、本システムを利用するユーザに関する情報は、予めこの顧客管理データベースに登録されるようになっている。
【００４１】
図４〜図7はそれぞれ印刷管理サーバシステム１０１が提供するウェブページの表示例を示す図であり、図４はそのログイン画面の表示例を示す図、図５はユーザが顧客管理データベースに登録する際のユーザ登録画面の表示例を示す図、図６、図７はユーザが印刷指示を行なう入力画面の表示例を示す図である。
【００４２】
印刷管理サーバシステム１０１は、図４〜図７に示すようなウェブページを提供するウェブサーバしても機能するようになっており、ユーザは、閲覧クライアントシステム１０２における情報端末１１を用いて、印刷管理サーバシステム１０１が提供するこれらのウェブページ２０２、７９、２０５に、インターネット１００を介してアクセスすることができるようになっている。
【００４３】
そして、ユーザが、情報端末１１を用いて印刷管理サーバシステム１０１が提供するウェブページにアクセスすると、印刷管理サーバシステム１０１は、図４に示すようなログイン画面２０２を情報端末１１のディスプレイ１１ａに表示させるようになっている。
【００４４】
そして、ユーザは、図４に示すログイン画面２０２において、予め登録された「ユーザネーム」をユーザネーム入力部７６に入力するとともに、この「ユーザネーム」に対応して予め登録されている「パスワード」をパスワード入力部７７に入力する。その後、ユーザがＬＯＧＩＮボタン７８をクリックすることにより、印刷管理サーバシステム１０１にこれらのユーザネームとパスワードとが送信されるようになっている。
【００４５】
そして、印刷管理サーバシステム１０１は、これらのユーザネームとパスワードとを顧客管理データベースに登録されている情報と比較して、本システムを使用可能なユーザであるか否かを特定するようになっている。
【００４６】
また、図４に示すログイン画面２０２においては、「登録しよう！」というリンクボタン７５は、図５に示すようなユーザ登録用のウェブページ７９にリンクされている。そして、ユーザが初めて本サービスを使用する場合に、図４のログイン画面において「登録しよう！」というリンクボタン７５を選択すると、印刷管理サーバシステム１０１は、図５に示すユーザ登録用のウェブページ７９を情報端末１１のディスプレイ１１ａに表示させるようになっている。
【００４７】
そして、ユーザは、情報端末１１のディスプレイ１１ａに表示されたウェブページ７９の入力フォーマットに従って、氏名、生年月日、住所、電話番号、ＦＡＸ番号、E-mailアドレス、支払い方法、ユーザネーム、パスワード、興味のある内容、等の自らに関する個人情報を入力することによりユーザ登録を行なうようになっている。
【００４８】
なお、ウェブページ７９においては、「ユーザネーム」および「パスワード」はユーザが任意に設定することができるようになっている。又、「都道府県」や「支払い方法」については、予め印刷管理サーバシステム１０１に登録されている情報から任意の情報をユーザが選択することができるようになっている。
【００４９】
また、登録時にユーザが入力する内容は、上述のものに限定するものではなく、例えば、ユーザが使用する情報端末１１の使用環境（ハードウェア環境、ソフトウェア環境）等を入力させてもよく、本発明の趣旨を逸脱しない範囲で種々変形して実施することができる。
【００５０】
そして、印刷管理サーバシステム１０１は、上述の如く入力されたユーザの個人情報を顧客管理データベースに登録するようになっている。
【００５１】
なお、この顧客管理データベースには、図５に示すウェブページ７９においてユーザが入力した個人情報の他に、ユーザが本システムを利用する際の利用料金に関する情報やクレジットカード番号等の種々の情報を登録してもよい。
【００５２】
さて、印刷管理サーバシステム１０１は、図４に示すログイン画面２０２においてユーザによって入力されたユーザネームおよびパスワードと、顧客管理データベースに登録されている情報とを比較して、これらのユーザネームとパスワードが一致した場合に、印刷管理サーバシステム１０１は、図６に示すような印刷指示用のウェブページ２０５を情報端末１１のディスプレイ１１ａに表示させるようになっている。
【００５３】
そして、ユーザは、この図６に示すウェブページ２０５に従って、印刷用紙の大きさや種類、解像度、フォント種類、フォントサイズ、印刷レイアウト、下地レイアウトおよび文字・画像の色、製本方法等の印刷条件を入力する。さらに、Ｓｕｂｍｉｔを選択することにより、図７に示すように、印刷を行うウェブページのアドレスをいくつでも入力することができる。以上の設定を行うことにより、印刷指示を行なうようになっている。
【００５４】
そして、このウェブページ２０５において入力された種々の情報が印刷管理サーバシステム１０１にウェブデータ出力指示情報として送信されるのである。
【００５５】
なお、文字・画像の色に関しては、モノクロ／カラーの指定だけでなく、フルカラー、３色カラー、単色カラー等の設定を行なうことができるほか、そのウェブページに準じた色で印刷することもできるようになっている。
【００５６】
また、印刷条件については、上記実施形態に限定するものではなく、例えば、両面印刷、集約印刷、拡大／縮小等、上記以外の種々の印刷条件を設定できるようにしてもよく、本発明の趣旨を逸脱しない範囲で種々変形して実施することができる。
【００５７】
また、印刷管理サーバシステム１０１は、ユーザから印刷指示が行なわれると、例えば、顧客管理データベースに登録されているユーザの住所等に基づいて、その最寄りに設置されている印刷実行サーバシステム１０４を調べ、その印刷実行サーバシステム１０４に上述した印刷条件等を送信して印刷指示を行なうようになっている。
【００５８】
印刷実行サーバシステム１０４は、インターネット１００上のウェブページを構成するウェブデータのプリンタ１５による出力を管理するものである。この印刷実行サーバシステム１０４は、印刷管理サーバシステム１０１から送信された、ユーザが図7に示す入力画面において入力したＵＲＬに基づいて、印刷を行なうウェブページのウェブデータを取得し、この取得したウェブデータから、ユーザにとって最適なウェブデータを抽出して出力ウェブデータ（以下、印刷ウェブデータと称する）を作成するようになっている。
【００５９】
なお、ユーザにとって最適なウェブデータとは、ユーザが印刷指示を行なったウェブページからリンクが張られているウェブページ（リンク先）であって、例えば、以下の（１）〜（３）に示す関係を有するものをいう。
【００６０】
（１）印刷指示を行なったウェブページと同一のドメイン内にあるウェブページのデータ。
【００６１】
（２）ユーザが印刷指示を行なったウェブページから、“ＮＥＸＴ”、“続き”、“次へ”等の、内容的に連続性を有するウェブページであることを暗示する特定の単語を伴ってリンクが張られている（ページ連続性を有する）ウェブページのデータ。
【００６２】
（３）ウェブページのソース（例えばＨＴＭＬ文書等）中における特定のキーワード（例えば専門用語等）の登場回数が、ユーザが印刷指示を行なったウェブページにおける同一のキーワードの登場回数と近似しているウェブページのデータ。
【００６３】
そして、印刷実行サーバシステム１０４は、上記（１）〜（３）の条件を満たすウェブデータを抽出することによりユーザにとって有用なウェブデータだけを抽出して、出力ウェブデータを作成するようになっている。
【００６４】
印刷実行サーバシステム１０４は、印刷ウェブデータを作成する際に、ユーザがＵＲＬを入力して印刷指示を行なったウェブページ（以下、印刷指示ウェブページ）のソース（例えば、ＨＴＭＬ（HyperText Markup Language）、ＳＧＭＬ(Standard  Generalized Markup Language)、ＸＭＬ(Extensi    ble Markup Language)等で記載されたもの）を、そのＵＲＬに基づいて取得するようになっている。
【００６５】
そして、印刷実行サーバシステム１０４は、印刷指示を行なったウェブページから張られているリンク先のウェブページについて、そのリンク先のウェブページが、ユーザが印刷指示を行なったウェブページと同一のドメイン内にあるか否かを判断するようになっている。
【００６６】
具体的には、印刷実行サーバシステム１０４は、リンク先のウェブページのＵＲＬを取得し、このリンク先のＵＲＬのドメインがユーザによって入力されたＵＲＬのドメインと同一であるか否かを判断し、異なるドメインにあるウェブページのウェブデータを重要度が低いウェブデータと判断するのである。これにより、上記（１）の関係を有するウェブデータであるか否かを判断するようになっている。
【００６７】
また、印刷実行サーバシステム１０４は、印刷指示を行なったウェブページと同一のドメイン内にあるリンク先のウェブページについて、更に、その取得したウェブページのソースを解析するようになっている。そして、このウェブページのソースに基づいてそのウェブページからの各リンク先について、それぞれウェブページの連続性（ページ連続性）を調査するようになっている。
【００６８】
具体的には、印刷実行サーバシステム１０４は、ウェブページのソースにおいて、“ＮＥＸＴ”、“続き”、“次へ”等の、内容的に連続性を有するウェブページへのリンクを暗示する特定の単語について検索する。そして、これらの単語が検出された場合には、印刷実行サーバシステム１０４は、その単語を伴って張られているリンク先のウェブページを、そのウェブページと連続性（ページ連続性）があるウェブページ（連続ウェブページ）であると判断する。これにより、上記（２）の関係を有するウェブデータであるか否かを判断するようになっている。
【００６９】
そして、印刷実行サーバシステム１０４は、この連続ウェブページのウェブデータを取得するとともに、ユーザにとって有用な有用ウェブデータとして抽出し、印刷ウェブデータにマージするようになっている。
【００７０】
また、印刷実行サーバシステム１０４は、ウェブページのソースに基づいて、そのリンク先についての重要度を調べ、この重要度に基づいてそのリンク先の各ウェブデータを印刷ウェブデータに含めるか否か、すなわち、ユーザにとって有用であるか否かを判断するようになっている。そして印刷実行サーバシステム１０４は、重要度が高いリンク先のウェブデータを有用ウェブデータとして抽出して組み合わせることにより印刷ウェブデータを作成するようになっている。
【００７１】
リンク先のウェブページの重要度は、印刷指示を行なったウェブページにおける特定のキーワードの登場回数と、そのリンク先のウェブページにおけるそのキーワードの登場回数とが近似しているか否かにより判断される。
【００７２】
印刷実行サーバシステム１０４は、印刷指示を行なったウェブページにおけるキーワードが使用されている回数（登場回数）を計数（カウント）するとともに、その印刷指示を行なったウェブページと同一のドメイン内にあるリンク先のウェブページについて、同一のキーワードの登場回数をカウントする。
【００７３】
そして、印刷実行サーバシステム１０４は、これらの登場回数を互いに比較して、そのキーワードの登場回数が近似していれば、これらのウェブページの内容に類似点が多いものであると判断して、そのリンク先のウェブページが重要度が高いものであると判断するようになっている。これにより、上記（３）の関係を有するウェブデータであるか否かを判断するようになっている。
【００７４】
なお、重要度の判定のためにカウントするキーワードは、予め設定しておいてもよく、又、必要に応じてユーザが入力してもよい。又、このキーワードとしては、例えば専門用語や固有名詞等の一般的に用いられる機会が少ない単語を用いることが望ましい。更に、キーワードのカウントは、特定の１のキーワードについてのみ行なうことに限定するものではなく、２以上のキーワードについて行なってもよい。
【００７５】
印刷実行サーバシステム１０４は、印刷指示を行なったウェブページからのリンク先のウェブページについて、重要度が高いウェブページだけを印刷するようになっている。これにより、印刷指示ウェブページから複数のリンクが張られている場合においても、それらのリンクされているウェブページのうち、重要度が高いウェブページだけを有用ウェブデータとして印刷するようになっている。
【００７６】
また、印刷実行サーバシステム１０４は、印刷指示ウェブページからリンクが張られているウェブページであって、ドメインが異なったり重要度が低い等の理由により有用ウェブデータとして印刷しないウェブページについて、そのアドレス（ＵＲＬ）の一覧を記載した添付資料（図１３参照）を作成するようになっている。
【００７７】
図１１、図１２は印刷実行サーバシステム印刷ウェブデータを作成する手法を説明するための図、図１３は印刷ウェブデータに添付される添付資料の例を示す図、図１４は印刷ウェブデータの構成を示す図であり、これらの図１１〜図１４を参照しながら、図８〜図１０に示すフローチャートに従って、印刷ウェブデータを作成する手法を説明する。
【００７８】
なお、図８は印刷ウェブデータの作成手法を説明するためのフローチャート（Mainフロー；ステップＡ１０〜Ａ１００）、図９はページ連続性の調査手法を説明するためのフローチャート（ステップＢ１０〜Ｂ４０）、図１０はリンク重要度の調査手法を説明するためのフローチャート（ステップＣ１０〜Ｃ５０）である。
【００７９】
例えば、ユーザが、閲覧クライアントシステム１０２において、情報端末１１からインターネット１００を介して情報提供サーバシステム１０３が提供するウェブページにアクセスをした場合であって、情報端末１１のディスプレイ１１ａに表示されたウェブページ６０１（以下、印刷指示ウェブページ６０１という）について、そのウェブデータ６０１′（以下、印刷指示ウェブデータ６０１′）の印刷指示を行なう場合について説明する。
【００８０】
なお、以下、ウェブページを構成するウェブデータを、対応するウェブページの符号に「′」を付して示すこととする。
【００８１】
また、印刷指示ウェブデータ６０１′は、図１１に示すように、ウェブデータ６０ａ〜６０ｃをそなえて構成されているものであり、又、図１１、図１２に示すウェブデータ６０ａ〜６０ｃはフレーム（frame）をそなえていないものとする。
【００８２】
ユーザは、印刷管理サーバシステム１０１の提供するウェブページにおいて（図６参照）、印刷指示ウェブページ６０１が存在するＵＲＬ（ウェブデータ出力指示情報）を入力し、この印刷指示ウェブページ６０１のＵＲＬが、印刷管理サーバシステム１０１に通知される。
【００８３】
印刷管理サーバシステム１０１は、図６に示すウェブページにおいて入力されたＵＲＬを印刷実行サーバシステム１０４に送信し、印刷実行サーバシステム１０４は、そのＵＲＬに基づいて、印刷指示ウェブデータ６０１′（ウェブデータ６０ａ′）にアクセスし、そのソース（例えばＨＴＭＬ形式）を取得する。
【００８４】
そして、印刷実行サーバシステム１０４は、先ず、ウェブデータ６０ａ′がフレームを使用して構成されているか否かを判断する（図８のステップＡ１０）。
【００８５】
このウェブデータ６０ａ′がフレームを使用して構成されていない場合には（図８のステップＡ１０のＮＯルート参照）、印刷実行サーバシステム１０４は、そのソースについてページ連続性調査（キーワード検索）を行なう（図８のステップＡ３０）。
【００８６】
一方、ウェブデータ６０ａ′にフレームが使用されている場合には（図８のステップＡ１０のＹＥＳルート参照）、印刷実行サーバシステム１０４は、そのウェブデータ６０ａ′を構成する各フレームについてソースを取得して、これらのソースをマージし（図８のステップＡ２０）、その後、ステップＡ３０においてページ連続性調査を行なう。
【００８７】
ここで、ページ連続性調査（キーワード検索）について、図９に示すフローチャート（ステップＢ１０〜Ｂ４０）を用いて説明する。印刷実行サーバシステム１０４は、検索対象のウェブデータ６０ａ′のソースについて、“次へ”、“ＮＥＸＴ”、“続き”等の、内容的に連続性を有するウェブページへのリンクを暗示する特定の単語について検索を行ない（図９のステップＢ１０参照）、これらの単語がソース中に存在するか否かを調べる（図９のステップＢ２０参照）。
【００８８】
そして、そのソース中においてこれらの単語が検出された場合には（図９のステップＢ２０のＹＥＳルート参照；図１２の符号６３参照）、その単語を伴ってリンクされているリンク先のウェブデータ６０ｂ′、６０ｃ′を、ウェブデータ６０ａ′に連続性があるウェブデータ、すなわち有用ウェブデータであると判断する。そして、ウェブデータ６０ａ′にこれらのウェブデータ６０ｂ′、６０ｃ′を印刷対象データとして追加して連結ウェブデータ７０（図１２参照）を作成する。
【００８９】
また、印刷実行サーバシステム１０４は、そのリンク先のウェブページについてもソースを取得し（図９のステップＢ３０）、このリンク先のウェブページのソースについても、前述のページ連続性を暗示する単語の検索を行ない（図９のステップＢ４０参照）、ステップＢ２０を繰り返し行なう。
【００９０】
なお、ソース中に上述の如きページ連続性を暗示する単語が存在しない場合には（図９のステップＢ２０のＹＥＳルート参照）、そのまま終了し、図８のステップＡ４０に移動する。
【００９１】
次に、印刷実行サーバシステム１０４は、作成した連結ウェブデータ７０について、そのリンク状態を調べ（図８のステップＡ４０）、リンクが張られている場合には（図８のステップＡ４０のＹＥＳルート参照；図１２の符号６４？１〜６４？３参照）、そのリンク先のウェブページ（図１２の符号６０２〜６０４参照）のアドレスが、印刷指示ウェブページ６０ａと同一のドメインであるか否かを判断する（図８のステップＡ５０）。
【００９２】
なお、図１２に示すウェブページ６０２〜６０４においては、ウェブページ６０２はウェブページ６０ａと異なるドメインを有するものであり、又、ウェブページ６０３、６０４はウェブページ６０ａと同一のドメインを有するものである。
【００９３】
ここで、リンク先のウェブページ６０３、６０４のアドレスが印刷指示ウェブページ６０ａと同一のドメインである場合には（図８のステップＡ５０のＹＥＳルート参照）、印刷実行サーバシステム１０４は、次に、そのリンク先のウェブページ６０３、６０４のソースを取得して、ページ連続性調査（キーワード検索）を行なう（図８のステップＡ６０）。
【００９４】
なお、この図８のステップＡ６０におけるページ連続性調査も、上述した図９に示すフローチャートと同様であるので、その詳細な説明は省略する。
【００９５】
又、この図８のステップＡ６０におけるページ連続性調査においては、図９のステップＢ２０においてページ連続性を暗示する単語（キーワード）がソース中に存在しない場合には（図９のステップＢ２０のＮＯルート参照）、次に、このリンク先のウェブページ６０３、６０４について重要度調査（キーワードスコア調査）を行なう（ステップＡ７０）。
【００９６】
ここで、重要度調査について、図１０に示すフローチャート（ステップＣ１０〜Ｃ５０）を用いて説明する。印刷実行サーバシステム１０４は、先ず、リンク元であるウェブページ６０ａのソースに基づいて、特定のキーワードがウェブデータ６０ａ′中に何回登場したかをカウントする（図１０のステップＣ１０）。
【００９７】
次に、印刷実行サーバシステム１０４は、リンク先のウェブページ６０２のソースに基づいて、特定のキーワードがウェブデータ６０２′中に何回登場したかをカウントする（図１０のステップＣ２０）。
【００９８】
そして、印刷実行サーバシステム１０４は、これらのキーワードのカウント値を互いに比較して（図１０のステップＣ３０参照）、キーワードのカウント値が近似していれば（図１０のステップＣ３０のＹＥＳルート参照）、リンク元のウェブページ６０ａとリンク先のウェブページ６０２との内容に類似点が多いものであると判断して、リンク先のウェブページ６０２についての印刷フラグに「１」を設定する（図１０のステップＣ４０）。その後、印刷管理サーバシステム１０１は、連結ウェブデータ７０について次のリンク先を調べ（図８のステップＡ９０）、図８のステップＡ４０に戻る。
【００９９】
一方、キーワードのカウント値が近似していない場合には（図１０のステップＣ３０のＮＯルート参照）、印刷実行サーバシステム１０４は、リンク元のウェブページ６０ａとリンク先のウェブページ６０２との内容に類似点が少ないものであると判断して、リンク先のウェブページ６０２についての印刷フラグに「０」を設定して（図１０のステップＣ５０）、図８のステップＡ９０に移動する。
【０１００】
また、リンク先のウェブページのアドレスが印刷指示ウェブページ６０ａのドメインと同一ではない場合には（図８のステップＡ５０のＮＯルート参照）、印刷実行サーバシステム１０４は、そのリンク先のウェブページに関する印刷フラグに「０」を設定して（図８のステップＡ８０）、ステップＡ９０を行なう。
【０１０１】
なお、この重要度調査に用いる特定のキーワードは、予め定めた１つの単語をキーワードとして用いてもよく、又、予め定めた２以上の単語をキーワードとして用い、これらの複数のキーワードの検索結果に基づいてウェブページの類似を判断してもよく、更に、ウェブページを構成する全ての単語をキーワードとしてその使用回数を調査し、これらの使用される全ての単語の利用傾向に基づいてウェブページの類似を判断してもよい。
【０１０２】
そして、図１２に示すウェブページ６０２〜６０４においては、ウェブページ６０４におけるキーワードのカウント値が、ウェブページ６０ａにおけるキーワードとのカウント値よりも少なく、又、互いのキーワードのカウント数の傾向が近似しないものであるので、印刷実行サーバシステム１０４は、リンク元のウェブページ６０ａとリンク先のウェブページ６０２との内容に類似点が少ないものと判断する。
【０１０３】
連結ウェブデータ７０について他のリンクがない場合には（図８のステップＡ４０のＮＯルート参照）、印刷フラグが「１」である連続ウェブデータ６０３′を、連続ウェブデータ７０にアペンドして印刷指示ウェブデータ７２′を作成する（図８のステップＡ１００）。
【０１０４】
すなわち、印刷実行サーバシステム１０４は、印刷指示ウェブページについて、そのリンク先の情報の重要度を解析し、重要度が高い、すなわち印刷フラグに「１」が設定されているウェブページだけを印刷するものであり、これにより、印刷指示ウェブページから複数のリンクが張られている場合においても、それらのリンクされているウェブページのうち、重要度が高いウェブページだけを有用ウェブデータとして印刷するようになっている。
【０１０５】
また、この際、印刷実行サーバシステム１０４は、印刷フラグに「０」が設定されているウェブページについて、すなわち、連続ウェブデータ７０からリンクが張られているが、ドメインが異なったり重要度が低い等の理由により連続ウェブデータ７０にマージされなかったウェブページについて、そのアドレス（ＵＲＬ）の一覧を記載した添付資料７１（図１３参照）を作成する。
【０１０６】
このようにして、印刷実行サーバシステム１０４は、最終印刷情報である印刷ウェブデータ７２を作成するようになっており、この印刷ウェブデータ７２′は、図１４に示すように、印刷指示ウェブデータ６０ａ′およびこの印刷指示ウェブデータ６０ａ′とページ連続性を有するウェブデータ６０ｂ′、６０ｃ′により構成された有用情報６０１と、有用情報６０１に含まれるリンク先であって有用情報６０１と関連性が高いリンク先についてのウェブページ（リンク先情報）６０３と、有用情報に関するリンク先のアドレスの一覧が記載された添付資料７１とから構成されている。
【０１０７】
また、印刷実行サーバシステム１０４は、上述の如く作成した印刷ウェブデータ７２についての印刷イメージ（出力イメージ）をウェブページとして作成するとともに、その印刷イメージデータをハードディスク１４に格納し、更に、そのウェブページのＵＲＬを電子メール７３（図１５参照）によってユーザに通知するようになっている。
【０１０８】
図１５は印刷実行サーバシステム１０４からユーザに送信される印刷イメージデータのウェブページのＵＲＬを通知する電子メールの一部を示す図である。この図１５に示すように、印刷実行サーバシステム１０４から送信される電子メール７３においては、作成された印刷イメージデータのＵＲＬ７４が記載されている。そして、ユーザが、情報端末１１からブラウザを用いてこのＵＲＬにアクセスすることにより、ユーザが、印刷を行なう前に、その印刷イメージを確認することができるようになっている。
【０１０９】
そして、ユーザは、その確認の結果に満足した場合には、印刷実行サーバシステム１０４に印刷指示を行なう。又、ユーザが、その印刷イメージに満足しない場合には、ユーザは、情報端末１１からその印刷ウェブデータ７２にアクセスして、不要な部分を削除したり、又、必要な他のウェブデータを追加したりすることができるようになっている。そして、ユーザは、これらの修正を行なった後に、印刷実行サーバシステム１０４に、再度、印刷指示を行なうことにより、希望する印刷物を得ることができ、不本意な印刷物を得ることがなく経済的である。
【０１１０】
なお、上記実施形態においては、印刷実行サーバシステム１０４は、電子メールによりユーザにその印刷イメージデータのＵＲＬを通知しているが、それに限定するものではなく、その印刷イメージのＵＲＬを、ユーザが印刷指示を行なったウェブページ等に表示して通知してもよく、本発明の趣旨を逸脱しない範囲で種々変形して実施することができる。
【０１１１】
本発明の一実施形態としてのウェブデータ出力管理装置（印刷管理サーバシステム１０１、印刷実行サーバシステム１０４）は上述のごとく構成されており、本システムにおけるユーザ、印刷管理サーバシステム１０１、印刷実行サーバシステム１０４および情報提供サーバシステム１０３のそれぞれで行なわれる一連の処理を、図１７〜図１９を参照しながら図１６に従って説明する。なお、図１７、図１８、図１９はともに情報端末１１のディスプレイ１１ａの表示例を示す図である。
【０１１２】
また、図１６中の左側に示す番号（１〜１３）は、各処理行なわれる順番を時系列で示したものである。
【０１１３】
まず、ユーザが任意のクライアントシステム１０２における情報端末１１を利用して、情報提供サーバシステム１０３が提供する種々のウェブページ中から任意のウェブページの情報を閲覧し（番号１参照）、印刷を行なう意思を固める。
【０１１４】
そして、ウェブページの印刷を行なうことを決定したユーザは、印刷管理サーバシステム１０１の提供するウェブページにアクセスする。
【０１１５】
例えば、ユーザは、図１７中におけるウェブページ２０１について印刷を希望するものである場合には、情報端末１１のディスプレイ１１ａに、このウェブページ２０１とともに、図４にて説明した印刷管理サーバシステム１０１の提供するウェブページ（ログイン画面）２０２を表示させる。
【０１１６】
そして、ユーザは、このログイン画面において、ユーザネーム入力部７６に、予め登録された「ユーザネーム」を入力するとともに、この「ユーザネーム」に対応して予め登録されている「パスワード」をパスワード入力部７７に入力し、その後、ＬＯＧＩＮボタン７８を選択してログインする。
【０１１７】
一方、印刷管理サーバシステム１０１は、入力されたユーザネームとパスワードとに基づいて、顧客管理データベースを参照してユーザ認証を行なう（番号２参照）。
【０１１８】
そして、ユーザの認証が行なわれると、次に、ユーザは、図１８に示す印刷指示用のウェブページ２０５において、種々の印刷条件を設定する。（図２０のステップＤ１０）次に、印刷を行なうウェブページ２０１のＵＲＬをＵＲＬ入力部２０６に入力する。（図２０のステップＤ２０）ここで入力するＵＲＬは、複数指定することができる。ＵＲＬ入力後にＲｅｇｉｓｔｅｒボタン２０９を選択して入力したＵＲＬを確定して（図２０のステップＤ３０）Ｎｅｘｔボタン２０７を選択すると（図２０のステップD４０）図１９に示すような出力形態としての製本方法の設定画面に移行する。（図２０のステップＤ８０）製本方法を設定後にＳｕｂｍｉｔボタン２１４を選択したことにより、出力設定は完了する。（図２０のステップＤ９０）
ＵＲＬ設定後にＮｅｘｔを選択せずに、Ｓａｖｅボタン２０８を選択した場合は、（図２０のステップＤ５０）それまで設定していた条件がデータとして保存される。（図２０のステップＤ５０）Ｃｌｅａｒボタンが選択された場合は、（図２０のステップＤ６０）それまでの設定条件を無効にして、終了する。
【０１１９】
製本方法として、図２１に、「簡易製本」を、図２２に「高精細製本」を指定した場合の印刷物の形態を示す。内容の異なる、関連性の無い複数のＵＲＬを指定した場合でも、印刷物として1冊に製本することが可能である。
【０１２０】
なお、この印刷を行なうウェブページ２０１のＵＲＬ入力は、ウェブページ２０５におけるＵＲＬ入力部２０６に、そのウェブページ２０１のＵＲＬをキーボード等を用いて直接入力してもよく、又、ウェブページ２０１からそのＵＲＬをコピーして、ＵＲＬ入力部２０６にペーストしてもよい。
【０１２１】
また、印刷管理サーバシステム１０１は、印刷指示用ウェブページ２０５において入力された種々の情報（ウェブデータ出力指示情報）から、ユーザが印刷を要求するウェブページ２０１のＵＲＬ等を取得する（番号３参照）。
そして、印刷管理サーバシステム１０１は、ユーザの顧客情報等に基づいて指定された情報を取得し、ユーザから指定された配達先に最寄り位置に設置されている印刷実行サーバシステム１０４を選択して、その印刷実行サーバシステム１０４に、ユーザにより入力されたＵＲＬ等の種々の情報を印刷実行サーバシステム１０４に送信し、印刷命令を行なう。一方、印刷実行サーバシステム１０４は、それらの情報を印刷命令として受信する（番号４参照）。尚、配達先とユーザ住所が異なる指定も、もちろん可能である。
【０１２２】
そして、印刷実行サーバシステム１０４は、そのＵＲＬに基づいてそのウェブデータにアクセスし、情報提供サーバシステム１０３が、印刷実行サーバシステム１０４にそのウェブデータを提供する（番号５参照）。
【０１２３】
印刷実行サーバシステム１０４は、上述のごとくそのリンク先についてのページ連続性および重要度を検討しながら、ユーザにとって有用なウェブデータについての印刷ウェブデータを作成し、又、作成した印刷ウェブデータをウェブページとして保存する（番号６参照）。
【０１２４】
また、印刷実行サーバシステム１０４は、印刷管理サーバシステム１０１の顧客管理データベースに登録されているユーザのＥ？ｍａｉｌアドレスに対して、印刷内容確認の電子メール７３（図１５参照）を送信して、変換後のウェブデータのＵＲＬを通知して、その出力イメージをユーザに確認させる。ユーザは情報端末１１においてその電子メール７３を受信し、その電子メール７３に記載されているＵＲＬ７４にアクセスして、印刷内容の印刷イメージをウェブページとして確認する（番号７参照）。
【０１２５】
そしてユーザは、印刷実行サーバシステム１０４に対して、送信された電子メール７３へのリプライや印刷ウェブページにおいて設けられた確認ボタン（図示省略）をクリックすること等によりその確認結果を通知して印刷を実行させる。
【０１２６】
なお、この際、ユーザは、確認した印刷イメージ中に不要なウェブデータが含まれていると判断した場合には、印刷ウェブデータから不要なウェブデータを削除してもよく、又、必要なウェブデータが含まれていないと判断した場合には希望するウェブデータを追加してもよく、更に、ユーザはその旨を印刷実行サーバシステム１０４に通知して、印刷実行サーバシステム１０４にそれらの編集処理を実行させてもよい。
【０１２７】
また、印刷実行サーバシステム１０４は、ユーザからの確認通知（確認書）を受信し（番号８参照）、その印刷ウェブデータを印刷する（番号９参照）。  又、印刷実行サーバシステム１０４は、その印刷物をユーザに発送し、ユーザはそれを受け取る（番号１０参照）。
【０１２８】
印刷実行サーバシステム１０４は、印刷物の発送が完了した後に、印刷管理サーバシステム１０１に完了通知を送信し、印刷管理サーバシステム１０１はその承認を行なう、又、印刷実行サーバシステム１０４は、ユーザに対して送達予定日を通知する（番号１１参照）。
【０１２９】
その後、印刷管理サーバシステム１０１は、ユーザに対して送達予定日を考慮して、その送達予定日以降にユーザに到着するように印刷代金の請求書を発行し、ユーザがこの請求書を受け取り、所定の方法で支払いを行なう（番号１２、１３参照）。
【０１３０】
尚、請求金額の算出方法としては、出力形態に見合った金額として、印刷枚数や、カラー印刷かモノクロ印刷かの種別や、製本の種類、等の印刷結果によって算出する方法や、期間を基準にして１ヶ月単位で一定金額を設定したり、枚数を基準にして、５０枚までは一定金額で、それ以降は１０枚単位で加算する、等の一定の基準に合わせて、一律の料金を請求する方法などがある。
【０１３１】
次に、本発明の一実施形態としてのウェブデータ出力管理装置の機能的な構成を図１を用いて説明する。
【０１３２】
ウェブデータ出力管理装置１は、インターネット１００上のウェブページ（ウェブページ）を構成するウェブデータ（ウェブデータ）の出力装置（例えば、プリンタ１５等）による出力（印刷）を管理するものである。
【０１３３】
このウェブデータ出力管理装置１は、図１に示すように、受信部２、ウェブデータ取得部３、出力ウェブデータ作成部４、出力制御部５、出力イメージ確認部６および出力仕様設定部７をそなえて構成されている。
【０１３４】
受信部２は、ユーザからのウェブデータ出力指示情報（例えばウェブデータのＵＲＬ等）を受信するものであり、印刷管理サーバシステム１０１が、この受信部２として機能するようになっている。
【０１３５】
ウェブデータ取得部３は、受信部２で受信したウェブデータ出力指示情報に基づいて、ユーザが出力を指示するウェブページのウェブデータを取得するものであり、印刷管理サーバシステム１０１がこのウェブデータ取得部３として機能するようになっている。
【０１３６】
出力ウェブデータ作成部４は、取得したウェブデータから、ユーザにとって有用な有用ウェブデータを抽出して出力ウェブデータを作成するものである。又、この出力ウェブデータ作成部４は、ユーザが出力指示するウェブページのページ連続性を調査するページ連続性調査部４１をそなえて構成され、このページ連続性調査部４１の調査結果に基づいて、ページ連続性を有するウェブページを有用ウェブデータとして抽出して出力ウェブデータを作成するようになっている。
【０１３７】
また、出力ウェブデータ作成部４は、ユーザが出力指示するウェブページからのリンク先のウェブページの重要度を調べるリンク先重要度調査部４２をそなえ、このリンク先重要度調査部４２により求められたリンク先の重要度に基づいて、重要度が高いリンク先のウェブページのウェブデータを有用ウェブデータとして抽出して出力ウェブデータを作成するようになっている。
【０１３８】
そして、印刷実行サーバシステム１０４がこの出力ウェブデータ作成部４、ページ連続性調査部４１およびリンク先重要度調査部４２として機能するようになっている。
【０１３９】
出力制御部５は、出力ウェブデータ作成部４によって作成された出力ウェブデータを出力装置（プリンタ１５）から出力させるものである。
【０１４０】
出力イメージ確認部６は、出力装置（プリンタ１５）による出力ウェブデータの出力前に、出力ウェブデータ作成部４により作成された出力ウェブデータに基づいて、出力ウェブデータの出力イメージを確認しうるものであり、印刷実行サーバシステム１０４および閲覧クライアントシステム１０２の情報端末１１がこの出力イメージ確認部６として機能するようになっている。
【０１４１】
出力仕様設定部７は、受信部２で受信したウェブデータ出力指示情報に基づいて、出力ウェブデータの出力形態を設定しうるものであり、印刷管理サーバシステム１０１がこの出力仕様設定部７として機能するようになっている。
【０１４２】
このように、本発明の一実施形態としての印刷管理サーバシステム１０１をそなえたウェブデータ出力システムによれば、利用者の要求に従って、いわばユーザからのオブジェクト指向でウェブデータの印刷設定を行なうことができ、これにより、ユーザが必要とする情報だけを必要なときに入手することができる。又、その際、何らの外的ストレスを感ずることなく印刷物を入手することができる。
【０１４３】
ユーザが、ウェブページにおいて出力形態（出力仕様）を任意に設定することができるので、所望の形態でウェブデータの印刷物を得ることができる。   又、印刷前に、情報端末１１において、その出力イメージをウェブデータとして確認することができるので、これによっても、所望の形態でウェブデータの印刷物を得ることができ、又、ユーザは印刷結果を予め把握することができ、更に、ユーザの希望に沿わないウェブデータを印刷することがなく経済的である。
【０１４４】
また、ユーザが、閲覧クライアントシステム１０２において、プリンタがない場合においても、ウェブデータを印刷することができる。
【０１４５】
そして、本発明は上述した実施形態に限定されるものではなく、本発明の趣旨を逸脱しない範囲で種々変形して実施することができる。
【０１４６】
また、上述した実施形態においては、印刷管理サーバシステム１０１と印刷実行サーバシステム１０４とにおいて、種々の機能を分担しているが、それに限定するものではなく、これらの各機能を１の装置（例えばサーバ）で行なってもよく、又、３以上の装置（サーバやプリントサーバ等）で分担して行なってもよい。
【０１４７】
さらに、上記実施形態においては、印刷実行サーバシステム１０４における印刷終了後に、印刷管理サーバシステム１０１がユーザに対して支払い請求を行なうとともに、この印刷管理サーバシステム１０１が印刷実行サーバシステム１０４の運用者に対して、プリンタ１５の使用料を支払うようになっているが、これに限定するものではなく、例えば、他の支払い決済機関を介在させてもよく、又、その決済方法として電子決済やクレジットカード等の種々の支払い方法を用いてもよい。
【０１４８】
また、上記実施形態においては、ユーザにとって有用なウェブページを、ユーザが印刷指示を行なったウェブページからリンクが張られているウェブページ（リンク先）であって、（１）〜（３）に示す関係を有するものとしているが、それに限定するものではなく、他の関係によって判断してもよい。
【０１４９】
さらに、ウェブデータの重要度を、ユーザが印刷指示を行なったウェブページにおける特定キーワードの登場回数と、そのリンク先のウェブページにおけるキーワードの登場回数とを直接比較して判断しているが、それに限定するものではない。例えば、それらのウェブページを構成するソース中において、そのソースを構成する全単語中における当該キーワードの比率（キーワードの登場回数÷ウェブページ中の全単語数）をそれぞれ算出して、相互に比較することによって判断してもよい。
【０１５０】
なお、本発明の各実施形態が開示されていれば、当業者によって製造することが可能である。
【０１５１】
【発明の効果】
以上詳述したように、本発明の印刷サービスシステムによれば    、手元に出力手段が無いユーザに対しても、ユーザにとって最適なウェブデ  ータを抽出して出力データを作成し、印刷物として紙面で提供することがで  きる。
【０１５２】
また、印刷したいアドレスが複数あるの場合でも、一度にまとめて指定することができるので、ユーザはウェブページを閲覧しながら、印刷したいページがあればＵＲＬを指定部へコピーしておくだけで、最後にまとめて出力指示ができる。つまり、何度も印刷要求をする必要がなく、複数のＵＲＬの印刷要求が１回の印刷指定動作で済むので、ユーザが印刷要求を行う際の操作の煩わしさが低減する。
【０１５３】
さらに、インターネット上のウェブページ間では、特に関連付けがされていない複数のウェブページのデータであっても、ユーザが希望する出力形態に合わせて、まとめて出力したり、1冊の冊子として提供したりすることが  できる。
【０１５４】
つまり、ウェブページの内容に左右されずに、ユーザの希望する出力形態での印刷物を得ることができ、取り扱いの利便性が向上する。
【図面の簡単な説明】
【図１】本発明の一実施形態としてのウェブデータ出力管理装置の機能的な
構成を示すブロック図である。
【図２】本発明の一実施形態としてのウェブデータ出力管理装置が配置され
るインターネットの構成例を模式的に示す図である。
【図３】本発明の一実施形態としてのウェブデータ出力管理装置をそなえた
Ｗｅｂデータ出力システムの構成を示すブロック図である。
【図４】印刷管理サーバシステムが提供するＷｅｂページの表示例を示す図
である。
【図５】印刷管理サーバシステムが提供するＷｅｂページの表示例を示す図
である。
【図６】印刷管理サーバシステムが提供するＷｅｂページの表示例を示す図
である。
【図７】印刷管理サーバシステムが提供するＷｅｂページの表示例を示す図
である。
【図８】印刷Ｗｅｂデータの作成手法を説明するためのフローチャートであ
る。
【図９】ページ連続性の調査手法を説明するためのフローチャートである。
【図１０】リンク重要度の調査手法を説明するためのフローチャートである。
【図１１】はともに印刷実行サーバシステムが印刷Ｗｅｂデータを作成する
手法を説明するための図である。
【図１２】はともに印刷実行サーバシステムが印刷Ｗｅｂデータを作成する
手法を説明するための図である。
【図１３】印刷Ｗｅｂデータに添付される添付資料の例を示す図である。
【図１４】印刷Ｗｅｂデータの構成を示す図である。
【図１５】印刷実行サーバシステムからユーザに送信される印刷イメージデータのＷｅｂページのＵＲＬを通知する電子メールの一部を示す図である。
【図１６】ユーザ，印刷管理サーバシステム，印刷実行サーバシステムおよび情報提供サーバシステムのそれぞれで行なわれる一連の処理を説明す
るための図である。
【図１７】情報端末のディスプレイの表示例を示す図である。
【図１８】情報端末のディスプレイの表示例を示す図である。
【図１９】情報端末のディスプレイの表示例を示す図である。
【図２０】情報端末のディスプレイの操作手順を説明するためのフローチャ
ートである。
【図２１】出力物としての簡易製本の例を示す図である。
【図２２】出力物としての高精細製本の例を示す図である。
【図１】
0004135327.tif 000002
【図２】
0004135327.tif 000003
【図３】
0004135327.tif 000004
【図４】
0004135327.tif 000005
【図５】
0004135327.tif 000006
【図６】
0004135327.tif 000007
【図７】
0004135327.tif 000008
【図８】
0004135327.tif 000009
【図９】
0004135327.tif 000010
【図１０】
0004135327.tif 000011
【図１１】
0004135327.tif 000012
【図１２】
0004135327.tif 000013
【図１３】
0004135327.tif 000014
【図１４】
0004135327.tif 000015
【図１５】
0004135327.tif 000016
【図１６】
0004135327.tif 000017
【図１７】
0004135327.tif 000018
【図１８】
0004135327.tif 000019
【図１９】
0004135327.tif 000020
【図２０】
0004135327.tif 000021
【図２１】
0004135327.tif 000022
【図２２】
0004135327.tif 000023